(57)【特許請求の範囲】
【請求項１】
前面にゴムが入った伸縮自在な１つの開口部を有する布またはビニール等の素材からなる生地の袋状のカバーと、
前記袋状カバーの内部にティッシュペーパーの空箱が複数個装着されており、
それら複数個の空箱それぞれに備わっているティッシュペーパーの取り出し口である開口部全てが、前記袋状カバーの前記１つの開口部から見えている状態で前記複数個の空箱が配置され、
前記複数個の空箱全体は、前記袋状カバーの内部で前記袋状カバーの前記１つの開口部に備わるゴムの伸縮部分によりしっかりと固定され、
前記複数個の空箱の中にレジ袋をサイズごとに仕分けして入れ、前記複数個の空箱の内部がレジ袋の収納、保管場所として機能し、
前記複数個の空箱それぞれに備わるティッシュペーパーの取り出し口である開口部が、レジ袋の取り出し口として機能することを特徴とするレジ袋ストッカー。
【請求項２】
前記袋状のカバー内部に装着されるティッシュペーパーの空箱数と仕分けしたいレジ袋のサイズ数は対応しており、
前記袋状カバーの最上部角の側面に吊りひもが備わっていること特徴とする請求項１に記載のレジ袋ストッカー。
【発明の詳細な説明】
【技術分野】
【０００１】
本発明は、前面にゴム入りの伸縮自在な開口部を持つ布またはビニール等の素材からな
る生地の袋状のカバーと、そのカバー内部にティッシュペーパーの空箱を複数個装着す
ることにより、空箱の中にレジ袋をサイズごとに簡単に仕分け、収納、保管する事のでき
るレジ袋ストッカーに関するものである。
【背景技術】
【０００２】
買い物の際、スーパーや小売店などから供与されるレジ袋は、一般家庭においてゴミ袋などに再利用されることが日常的に行われている。これらのレジ袋を収納、保管しておく従来のレジ袋ストッカーは、レジ袋を上から入れて下から出すタイプのものがあり、レジ袋の仕分けサイズ数が限られているものが知られている（例えば、特許文献１「図２」、特許文献２「図１」参照）。
また、複数サイズ、例えばポリ袋、レジ袋の小、中、大、などと４サイズに仕分けできるタイプの物は、製作にコストがかかり、場所を取るものが知られている。（例えば、特許文献３「図１」）参照）。
【先行技術文献】
【特許文献】
【０００３】
【特許文献１】登録実用新案第３０２９６６７号公報
【特許文献２】登録実用新案第３０６８８０５号公報
【特許文献３】実開平５−８４６２７
【発明の概要】
【発明が解決しようとする課題】
【０００４】
従来のレジ袋ストッカーは、
（イ）レジ袋を上から入れ下から取り出すものであったため、レジ袋を取り出す際に所要枚数以外の不必要なレジ袋が落下する可能性があった。
（ロ）レジ袋は、特小、小、中、大、特大とサイズが複数種類あるが、仕分けできるサイズの数は通常１〜２サイズであるものが多かった。
（ハ）レジ袋を仕分けできるサイズ数を増やすにつれ、収納容器本体の大きさと製作コストが増大し、安価にて提供できなかった。
（ニ）狭いスペースで使うには制限があった。
【課題を解決するための手段】
【０００５】
本発明は、
（イ）図１に示すように、袋状カバーの開口部内部にレジ袋を保管、収納する機能
を果たす複数個のティッシュペーパーの空箱を、その開口部すなわちレジ袋の取り出し
口を床面と垂直、及び壁面と平行となるように装着することにより、レジ袋を取り出す際
に不必要なレジ袋がバラバラと落下せず、確実に所要枚数を取り出すことができる。
（ロ）図３に示すように、複数種類あるレジ袋のサイズの数は、ティッシュペーパ
ーの空箱の個数とそれに合わせた袋状のカバーの大きさを変えることにより、必要なレジ
袋のサイズ数に簡単に対応することができる。
（ハ）袋状のカバー開口部内部に装着されているレジ袋を仕分け、収納、保管する
本体は、本来なら廃棄されるべきティッシュペーパーの空箱複数個を再利用して構成さ
れているため、環境への配慮がなされている上に、仕分けするサイズ数が増えても、安価
にて提供することができる。また、袋状カバー自体は布製であるため、簡単に折りたたむ
ことができ、かさばらず持ち運びも大変便利である。
（ニ）本発明は、上部に備わっている吊りひもで壁面などに吊るして使用するため、本体の厚み幅が大変スリムで省スペースとなり、狭い隙間などの空間でも利用可能となる。
（ホ）袋状カバーの絵柄のデザインを美しくすることにより、全体の視覚性を向上
させることができる。また、袋状カバーは生地で出来ているため、デザインの種類を複数
種類提供することが大変容易である。
【発明の効果】
【０００６】
本発明は、レジ袋を取り出す際、不必要なレジ袋がバラバラと落下することがなく所要枚数のみを確実に取り出すことができ、仕分けするレジ袋のサイズの数を３つ、４つと増やすことができる簡便性がある。また、袋状カバーの絵柄のデザイン性を美しくし、その選択の種類を増やすことにより、全体の視覚性を向上させることが可能である。さらにティッシュペーパーの空箱というリサイクル品を利用した結果、環境にも配慮された、安価で軽量で場所を取らずに利用できる実用品であると言える。
【図面の簡単な説明】
【０００７】
【図１】本発明の斜視図
【図２】本発明を構成する布またはビニール製などの生地素材からなる袋状カバー         の形状の斜視図
【図３】本発明でレジ袋の仕分け数を４サイズとした場合の正面図
【発明を実施するための形態】
【０００８】
本発明は図１に示すように、ゴムが入った伸縮自在な開口部（３）を有する布またはビ
ニール等の素材からなる生地の袋状カバー（２）と、その開口部を前面とし、その内部に
ティッシュペーパーの空箱（４）が複数個装着、固定されていることを特徴としている。
【０００９】
袋状カバー内に装着されている複数個のティッシュペーパーの空箱内部が、レジ袋（
７）の収納、保管機能を果たし、ティッシュペーパーの空箱の開口部（５）がレジ袋の取
り出し口となり、袋状カバーの最上部角の側面に備わっている吊りひも（８）により壁面
などに吊るして使用する。
【００１０】
ティッシュペーパーの空箱（４）複数個は、袋状カバー内部に装着すればゴム伸縮部分（３）によりしっかりと全体が固定されるため、レジ袋を取り出す際にも箱がカバーから飛び出すことなく安定して使用することができる。
【００１１】
ティッシュペーパーの空箱は、開口部（５）に元々ビニール製の囲い素材（６）を持つため、それにより収納されているレジ袋の落下を防ぐストッパーの役割も果たしている。
【００１２】
図１に示すように、本発明は壁面などに吊るされた状態で使用するため、レジ袋のサイズと保管状態が一目でわかり、必要なサイズのレジ袋の場所が瞬時に判別でき、またレジ袋を取り出す際不必要なレジ袋がバラバラと落下することなく、所要枚数だけ確実に取り出すことができる。
【００１３】
図１に示すように、レジ袋の仕分けサイズ（９）を、小、中、大の３サイズとした場合、ティッシュペーパーの空箱（４）は３個必要となり、図２の袋状カバーのサイズは、L４０cm、W２６cm、D８cmとなる。
図３に示すように、レジ袋の仕分けサイズ（９）を、小、中、大、特大の４サイズとした場合、ティッシュペーパーの空箱（４）は４個必要となり、それに合わせて図２の袋状カバーのサイズをL５２cm、W２7cm、D８cmに変えることにより、仕分けサイズを４サイズ（９）にすることができる。
さらに仕分けするサイズ数を増やしたい場合、ティッシュペーパーの空箱の個数を５個、６個...と増やし、その全体の大きさに合わせて袋状カバーの大きさを変えて行けば、製作面でも簡単で、安価にて仕分けサイズ数を増やせる簡便性がある。
【産業上の利用可能性】
【００１４】
本来なら廃棄されるべきティッシュペーパーの空箱を再利用することにより、環境にも配慮されている。また、レジ袋の出し入れの繰り返しによりティッシュペーパーの空箱が劣化した場合でも、新しいティッシュペーパーの空箱に簡単に取り換えることができ、それにより本体の長期間の使用が可能となる。
【符号の説明】
【００１５】
１  レジ袋ストッカー
２  布またはビニール製などの生地素材からなる袋状カバー
３  袋状カバー開口部一周に挿入されるゴムの伸縮部
４  ティッシュペーパーの空箱
５  ティッシュペーパーの空箱の開口部
６  ティッシュペーパーの空箱の開口部を囲うビニール製素材
７  収納、保管されているレジ袋
８  吊りひも
９  レジ袋サイズの表示  
【要約】
【課題】  レジ袋を再利用するためのストッカーとして、レジ袋を取り出す際不必要なレ
ジ袋が落下することなく、レジ袋の仕分けサイズの数も簡単に増減でき、構成の一部にリ
サイクル品を利用した安価、軽量、省スペースで視覚的にも優れたレジ袋ストッカーを提
供する。
【解決手段】  前面に開口部を有する布製の袋状カバーの内部に、ティッシュペーパーの
空箱複数個を入れ込み、空箱内部がレジ袋を仕分け、収納する機能を持つレジ袋ストッ
カーを提供する。レジ袋の収納、取り出し口となるティッシュペーパーの空箱の開口部が
床面と垂直であるため、レジ袋を取り出す際の落下を防止でき、レジ袋を仕分けするサイ
ズの数を布製カバーのサイズとティッシュペーパーの空箱の個数を変えることにより、増
減することができる。布製カバーの絵柄のデザイン性により、視覚性も優れたものとなる。
【選択図】  図１【図１】
0005848431.tif 000002
【図２】
0005848431.tif 000003
【図３】
0005848431.tif 000004